(57)【要約】【課題】医療用、特に分泌物吸引用、吸引ポンプにおいて、主構成部分は、駆動装置を内蔵する主ケーシング（１）、吸引物の受け容器（８）及びこれらの間に配されるバルブ部（６）からなる。これらの主構成部分は容易に、かつ、互いに着脱可能に組立て、結合される。
2004507324.tif 000002
【特許請求の範囲】
【請求項１】
医療用、特に分泌物吸引用、吸引ポンプであって、前記吸引ポンプは吸引物の受け容器、バルブ部及びポンプの膜付ピストンロッドを駆動する駆動装置を備え、かつ、前記バルブ部は、前記膜付ピストンロッドの動きの方向に応じて動くバルブを介して前記受け容器内に真空を形成するために、ポンプスペースを前記受け容器又は排出通路に交互に結合するものにおいて、前記受け容器、バルブ部及び駆動装置は、ポンプ運転のために互いに着脱可能に組立て、結合されるそれぞれ別のポンプ部分として形成され、組立時には前記バルブ部は、前記受け容器と前記駆動装置との間に直接的に配置され、前記駆動装置内に配された前記膜付ピストンロッドは、その前方端に設けられて、前記駆動装置の内方に向っては気密に、また、外方に向っては自由通路に連通して形成された膜と協働し、かつ、前記ポンプスペースは、前記バルブ部と前記駆動装置との間に配されて、前記バルブが設けられた前記バルブ部の壁と前記駆動装置の壁ないしは前記膜とにより画成されてなることを特徴とする吸引ポンプ。
【請求項２】
互いに着脱可能に組立て、結合される前記ポンプ部分は、共通の１つの基台上に配されてなることを特徴とする請求項１の吸引ポンプ。
【請求項３】
前記ポンプ部分間の着脱可能な結合は、プラグ結合及び／又はスナップ結合により実施されてなることを特徴とする請求項１の又は２記載の吸引ポンプ。
【請求項４】
前記バルブ部は、組立時において互いに分離された２つの部分、即ち、一方側で前記受け容器に他方側で吸入バルブを介して前記ポンプスペースに結合された第一部分及び排出バルブを介して前記ポンプスペースを排出通路に結合する第二部分、と連通してなることを特徴とする請求項１ないし３のいずれかに記載の吸引ポンプ。
【発明の詳細な説明】
【０００１】
【発明の属する技術分野】
本発明は、医療用吸引ポンプ、特に分泌物吸引ポンプに関する。この吸引ポンプは、吸引物の受け容器、バルブ部及びポンプの膜付ピストンロッドを駆動する駆動装置を備え、前記バルブ部は、前記膜付ピストンロッドの動きの方向に応じて動くバルブを介して前記受け容器に真空を形成するためにポンプスペースを前記受け容器又は排出通路に交互に結合する。
【０００２】
今日知られたこの種の吸引ポンプは、取外された受け容器を除いて、その他のポンプ部分の洗浄が困難で手間がかかるという不具合がある。これは、駆動装置内に流動物（洗浄液、分泌物）が入り込まないように、特に慎重な取扱いが必要とされるからである。
【０００３】
従って、本発明は、出来る限り簡単な構成により容易に組立ができ、かつ、洗浄目的のために特別の知識を要することなく分解可能な（ホース結合を有しない）吸引ポンプを提供することを課題とする。操作は特に容易なもの（押込みボタンによるオン／オフ操作）とし、使用後空にされた受け容器は、洗浄器、例えば食器洗い器、において洗浄可能とする必要がある。また、その他のポンプ部分、即ち、バルブ部及び駆動装置、は、受け容器のユニークなオーバフロー構成により通常は汚れを受けることがなく、必要に応じてその機能を阻害することなく洗浄可能としなければならない。
【０００４】
上記の課題は、冒頭に記載の吸引ポンプにおいて、本発明により、特許請求の範囲における請求項１の特徴部に記載された特徴を付与することにより達成される。
【０００５】
好ましくは、本発明による種々のポンプ部分は、プラグ結合及び／又はスナップ結合により互いに着脱可能に１つの共通の基台上に組立て、結合される。
【０００６】
以下において、本発明を添付の図を参照してより詳しく説明する。
【０００７】
図１は、３つの主構成部分で形成される本発明による吸引ポンプの略式図である。この吸引ポンプは、主ケーシング１、バルブ部６及び受け容器８を有する。主ケーシング１は、内蔵されたモータ、ポンプの駆動装置及び必要に応じてバッテリーを有する（これらの組立部は図３に示されている）一方、この主ケーシング１は基台２に取付けられており、更に、ポンプの膜付ピストンロッド（図３参照）の膜部分３、主スイッチ４（オン／オフ式）及び電源ソケット５を備えている。バルブ部６は、オーバフロー室（図３参照）と真空調整ボタン７（例えば、２位置式）を備え、また、受け容器８は繰返し使用可能であり、はめ込み式カバー９を備えている。
【０００８】
図１に示す吸引ポンプの主構成部分は、互いに容易に組立て可能（プラグ結合及び／又はスナップ結合による）であり、また同様に容易に（洗浄目的のために）取外し可能である。バルブ部６は、図２に示すように、主ケーシング１と取替え可能な受け容器８の間に直接的に配置される。これらの主構成部分は、好ましくは基台２上に配置され、取付けられる。
【０００９】
図３は、本発明の吸引ポンプの組立て状態を示す長手方向断面図である。
【００１０】
図３において、主ケーシング１内には、フランジ板１１に取付けられた電気モータ１０（例えば、１２Ｖ直流モータ）が設けられ、これにより、偏心体１２及びこれに付属するバランサー１３を駆動する。偏心体１２により、ポンプのピストンロッド１４が駆動される。ピストンロッド１４は膜１５（例えば、吹付け成形膜）を備え、これにより運転中所望の真空を形成する。
【００１１】
基台２に取付けられた主ケーシング１内には更に、バッテリー１６が設けられる。外部からの電流供給は、電源ソケット１７を介して実施される（バッテリー１６の充電又はモータ１０への直接電気供給のため）。主ケーシング１の上面には押し込みボタン１８（オン／オフ式）が設けられている。
【００１２】
図３において左側には、吸引物（例えば、分泌物）用の受け容器８が基台２に取付けられている。受け容器８は、取替え可能かつ繰返し使用可能であり、かつ、容器カバー９を有する。受け容器８内に形成された真空により吸引された吸引物は、突出支持部１９にホース状パイプ（図示省略）を取付けることによりこれを介して受け容器８内に取込まれる。
【００１３】
受け容器８と主ケーシング１との間には、第三の主構成部分としてのバルブ部６がセットされており、このバルブ部６は適合する結合方式により受け容器８と主ケーシング１に着脱可能に取付けられている。バルブ部６と主ケーシング１内に設けられた膜付ピストンロッド１４との間において、ピストンロッド１４はその前方端に膜１５を有しており、バルブ部６にはこの膜ないしは駆動装置の壁及び次に述べるバルブ部の壁によりポンプスペース２０が形成されている。このポンプスペース２０には、所望の真空を形成する装置（例えば、２つの異なる位置を有する真空調整ボタン２１）が接続されている。
【００１４】
バルブ部６の一方の壁２２には、自由に動く吸入バルブ２３と排出バルブ２４が設けられている。ピストンロッド１４又は膜１５が図３においてＲ方向に動くと、ポンプスペース２０内には負圧が形成され、受け容器８内の空気は、開口した吸入バルブ２３を通って吸引される（受け容器８内に真空が形成される）。ピストンロッド１４又は膜１５がＬ方向に動くと、吸入バルブ２３は閉じ、ポンプスペース２０内に吸引された空気は開口した排出バルブ２４を通って押出されカバー２５によって閉じられたスペース２６内に入り、ここからポンプ形成部材の間の自由通路を通って外部に排出される。
【００１５】
受け容器８とバルブ部６との間の結合は、高い位置に設けられた結合支持部２７を介して実施される。この結合支持部２７は、また必要の場合には、受け容器８のためのオーバフロー部を形成する。このユニークな構成により、時としてバルブ部６内に液体が侵入しても、ポンプの駆動装置の損傷は生じない。
【００１６】
これらの個々のポンプ主構成部分１、６及び８は、最も簡単に組立てることができ、また、分解することができる。これにより、特に洗浄を容易に、かつ、問題なく実施することができる。（即ち、受け容器８とバルブ部６は食器洗い器により洗浄することができる）。
【図面の簡単な説明】
【図１】
本発明の吸引ポンプにおける３つの主構成部分を示す略式図。
【図２】
図１の３つの主構成部分を組立て、結合した状態の吸引ポンプを示す図。
【図３】
図２の吸引ポンプに関わる長手方向断面を若干拡大して示す図。
【国際公開パンフレット】
2004507324.tif 000003
2004507324.tif 000004
2004507324.tif 000005
2004507324.tif 000006
2004507324.tif 000007
2004507324.tif 000008
2004507324.tif 000009
2004507324.tif 000010
2004507324.tif 000011
2004507324.tif 000012
【国際調査報告】
2004507324.tif 000013
2004507324.tif 000014
2004507324.tif 000015
2004507324.tif 000016
2004507324.tif 000017
2004507324.tif 000018